(57)【要約】【課題】仕様の異なる筐体を有するモニタへの交換の必要性があっても、それに合せて電気部品搭載ユニットの設置方法を変更することのない壁掛けタイプの情報表示盤を提供する。【解決手段】情報表示盤は、モニタ１１と、その背面に設けられたモニタ固定金具１２と、壁面１０に固定された壁面固定金具１３と、壁面固定金具１３に収容された電気部品搭載ユニット１４とを備えている。電気部品搭載ユニット１４を壁面固定金具１３の中に設置しているので、筐体仕様の異なるモニタ１１へ交換されても、それに応じて電気部品搭載ユニット１４の設置方法を変更する必要がない。また、電気部品搭載ユニット１４は、引き出し可能に構成されているので、保守時の操作が容易である。【選択図】図１
2018022048.tif 000002
【特許請求の範囲】
【請求項１】
背面にモニタ固定金具が設置されたモニタと、
壁面に固定され前記モニタ固定金具を受け止めて前記モニタを保持する箱状の壁面固定金具と、
前記壁面固定金具に収容され前記モニタに表示する映像信号を供給するための電気部品を有する電気部品搭載ユニットと、
を備えた、情報表示盤。
【請求項２】
前記電気部品搭載ユニットは、前記壁面固定金具から引き出すことができるように設けられた、請求項１記載の情報表示盤。
【請求項３】
前記電気部品搭載ユニットは、前記壁面固定金具の中で水平方向にスライド可能に設けられ、かつ、前記壁面固定金具の側壁から引き出すことができる、請求項２記載の情報表示盤。
【請求項４】
前記モニタを前傾した状態に固定することができるチルト機構を備えた、請求項３記載の情報表示盤。
【請求項５】
前記電気部品搭載ユニットは、前記チルト機構が前記モニタを前傾可能な位置に固定しているとき、前記モニタ固定金具によって干渉されない前記壁面固定金具の前記側壁に位置されている、請求項４記載の情報表示盤。
【請求項６】
前記チルト機構は、前記壁面固定金具の前記側壁の下方近傍に立設された支持部材と、前記側壁の中央近傍に形成されたねじ孔と、前記モニタ固定金具の下方近傍に形成されて前記支持部材に受け止められる切欠き部と、前記モニタ固定金具の上方近傍に設けられた前傾調整用の複数のねじ挿通孔と、前記切欠き部が前記支持部材に支持された状態で前記ねじ挿通孔の１つを介して前記ねじ孔に固定されるねじとを有する、請求項４記載の情報表示盤。
【請求項７】
前記ねじ挿通孔は、前記モニタ固定金具の上方近傍にて、前記切欠き部が前記支持部材に支持されているときに前記支持部材を中心とした前記ねじ孔を通る円弧上に形成されている、請求項６記載の情報表示盤。
【発明の詳細な説明】
【技術分野】
【０００１】
本発明は、たとえば、病院の外待合における院内情報案内、外来患者の診察室入口、会計窓口、投薬窓口などの待合の順番案内などを行う情報表示盤に関する。
【背景技術】
【０００２】
情報表示盤は、案内情報を表示するモニタと、表示サーバから送られた情報をモニタに表示するような映像信号に変換して出力する電気部品を有する電気部品搭載ユニットとを備えている。電気部品搭載ユニットとしては、小型のＰＣ（パーソナルコンピュータ）が用いられている。
【０００３】
このような情報表示盤では、汎用の液晶ディスプレイのようなモニタに電気部品搭載ユニットを電気的に接続して構成することが多く、モニタに電気部品搭載ユニットを内蔵するように構成し直すことは少ない。したがって、情報表示盤の場合、電気部品搭載ユニットは、モニタの外側に並設されることになる。
【０００４】
情報表示盤としては、天井から吊り下げるタイプまたは壁掛けタイプが知られている。天井から吊り下げるタイプは、大型のモニタを使用している場合が多いので、電気部品搭載ユニットは、正面からは見えないモニタの背面側の場所に適当に設置されている。一方、壁掛けタイプのものでは、モニタの背面に電気部品搭載ユニットを直接設置することがある（たとえば、特許文献１参照）。この特許文献１に記載のものは、壁掛けタイプのテレビジョン受信機であって、表示部の背面にディスク装置のような電気部品を取り付けた構成を有している。
【先行技術文献】
【特許文献】
【０００５】
【特許文献１】特開２０１３−１８６９１２号公報（段落〔００３５〕、〔００３７〕、図１−２）
【発明の概要】
【発明が解決しようとする課題】
【０００６】
モニタの背面に電気部品搭載ユニットを設置する構成では、同じ仕様の筐体を持つモニタが供給され続ける保証はないので、たとえば故障による交換時に入手したモニタが設置時のモニタと仕様が違うことがある。この場合、壁掛け用の金具を取り付けるためのねじ孔については、ねじ孔の位置が規格化されているが、電気部品搭載ユニットの設置については、交換されるモニタの仕様に合せた設置方法の対応が必要になる。
【０００７】
本発明はこのような点に鑑みてなされたものであり、仕様の異なる筐体を有するモニタへの交換の必要性があっても、それに合せて電気部品搭載ユニットの設置方法を変更することのない壁掛けタイプの情報表示盤を提供することを目的とする。
【課題を解決するための手段】
【０００８】
本発明では、上記の課題を解決するために、１つの案では、情報表示盤が提供される。この情報表示盤は、背面にモニタ固定金具が設置されたモニタと、壁面に固定され前記モニタ固定金具を受け止めて前記モニタを保持する箱状の壁面固定金具と、前記壁面固定金具に収容され前記モニタに表示する映像信号を供給するための電気部品を有する電気部品搭載ユニットと、を備えている。
【発明の効果】
【０００９】
上記構成の情報表示盤は、電気部品搭載ユニットを壁面固定金具の中に設置したので、筐体仕様の異なるモニタへ交換されても、それに応じて電気部品搭載ユニットの設置方法を変更しなくてもよいという利点がある。
【図面の簡単な説明】
【００１０】
【図１】本発明の実施の形態に係る情報表示盤を示す図であって、（Ａ）は情報表示盤を正面から見た図、（Ｂ）は情報表示盤を壁面に設置した状態を示す側面図、（Ｃ）は情報表示盤を壁面に設置するときの状態遷移を示す図である。
【図２】壁面固定金具に対する電気部品搭載ユニットの取付構造の一例を示す図であって、（Ａ）は、壁面固定金具を上から見た図、（Ｂ）は壁面固定金具を正面から見た図である。
【図３】電気部品搭載ユニットの一例を示す図である。
【図４】情報表示盤の保守時における電気部品搭載ユニットの動作例を示す図であって、（Ａ）は、壁面固定金具を上から見た図、（Ｂ）は壁面固定金具を正面から見た図である。
【図５】モニタを前傾姿勢で取り付けた状態の情報表示盤を示す側面図である。
【発明を実施するための形態】
【００１１】
以下、本発明の実施の形態について、図面を参照して詳細に説明する。
図１は本発明の実施の形態に係る情報表示盤を示す図であって、（Ａ）は情報表示盤を正面から見た図、（Ｂ）は情報表示盤を壁面に設置した状態を示す側面図、（Ｃ）は情報表示盤を壁面に設置するときの状態遷移を示す図である。
【００１２】
情報表示盤は、図１（Ａ）および（Ｂ）に示したように、モニタ１１と、モニタ１１の背面に設置されたモニタ固定金具１２と、壁面１０に固定された壁面固定金具１３と、壁面固定金具１３に収容された電気部品搭載ユニット１４とを備えている。
【００１３】
モニタ１１は、映像を表示するディスプレイであり、たとえば、液晶ディスプレイ、有機エレクトロルミネッセンス（ＥＬ）ディスプレイなどの薄型ディスプレイが用いられている。
【００１４】
モニタ１１の背面には、モニタ固定金具１２が設置されている。このモニタ固定金具１２は、モニタ１１の左右端近傍位置にてモニタ１１の背面から後方に突出した１対のプレート１２ａを有している。このプレート１２ａは、図１（Ｃ）に示されるように、下方近傍にＬ字状の切欠き部１２ｂを有し、上方近傍には、ねじ挿通孔１２ｃが形成されている。ねじ挿通孔１２ｃは、切欠き部１２ｂの一番奥（上部）に形成された半円の中心を中心とした円弧上に複数個（図示の例では、４個）形成されている。この複数個のねじ挿通孔１２ｃは、モニタ１１を前傾姿勢で設置するときの角度調整に用いられる。
【００１５】
壁面固定金具１３は、箱形の形状を有しており、壁面１０に固定されている。この壁面固定金具１３の左右の側壁１３ａにおいて、その下方近傍に支持部材としてのねじ１３ｂが立設され、中央近傍には、１個のねじ孔１３ｃが形成されている。
【００１６】
モニタ１１を壁面固定金具１３に取り付けるときには、まず、作業員がモニタ１１を持ち上げて、モニタ固定金具１２のプレート１２ａに形成されたＬ字状の切欠き部１２ｂの水平溝に壁面固定金具１３の側壁１３ａに立設されたねじ１３ｂを通す。その後、ねじ１３ｂが切欠き部１２ｂの水平溝の奥に位置したときにモニタ１１を自重で落とすと、モニタ固定金具１２のプレート１２ａの切欠き部１２ｂが壁面固定金具１３の側壁１３ａに立設されたねじ１３ｂに受け止められる。このとき、モニタ固定金具１２のプレート１２ａに形成されたねじ挿通孔１２ｃの１つと壁面固定金具１３の側壁１３ａに形成されたねじ孔１３ｃとを位置合わせしてねじ止めする。たとえば、図１（Ｂ）に示したように、モニタ１１を垂直状態に取り付ける場合、まず、モニタ１１を垂直の姿勢を保持した状態で、４つのねじ挿通孔１２ｃのうち、最もモニタ１１の側に形成されたねじ挿通孔１２ｃにねじ１２ｄを通す。次に、ねじ１２ｄを壁面固定金具１３の側壁１３ａに形成されたねじ孔１３ｃにねじ込むことで、モニタ固定金具１２と壁面固定金具１３とが固定され、モニタ１１は、壁面１０に垂直状態に取り付けられることになる。
【００１７】
電気部品搭載ユニット１４は、壁面固定金具１３の中に収容されており、かつ、保守操作を容易にするため、壁面固定金具１３の側壁１３ａから引き出し可能に設けられている。以下、この電気部品搭載ユニット１４の取付構造について説明する。
【００１８】
図２は壁面固定金具に対する電気部品搭載ユニットの取付構造の一例を示す図であって、（Ａ）は、壁面固定金具を上から見た図、（Ｂ）は壁面固定金具を正面から見た図であり、図３は電気部品搭載ユニットの一例を示す図である。なお、図２において、内部構成を見やすくするために、モニタ１１を外した状態で示している。
【００１９】
壁面固定金具１３の内部には、図２に示したように、ユニット収容部１３ｄが設けられている。このユニット収容部１３ｄは、四角い基部１３ｅと、その基部１３ｅの上下端を正面側に折り曲げて互いに平行になるように形成されたガイドプレート１３ｆ，１３ｇとを有している。ガイドプレート１３ｆ，１３ｇには、その長手方向（図の左右方向）に沿ってスリット１３ｈがそれぞれ形成されている。
【００２０】
電気部品搭載ユニット１４は、ユニット収容部１３ｄと同様に、四角い基部１４ａと、その基部１４ａの上下端を正面側に折り曲げて互いに平行になるように形成された上部プレート１４ｂおよび下部プレート１４ｃを有している。ただし、電気部品搭載ユニット１４は、ユニット収容部１３ｄに収容される大きさを有し、ユニット収容部１３ｄの中でガイドプレート１３ｆ，１３ｇに沿って摺動可能となる。このとき、電気部品搭載ユニット１４の上部プレート１４ｂおよび下部プレート１４ｃの内方（図の左側）端の近傍位置にてスリット１３ｈを介してスライドピン１４ｄ，１４ｅが設けられている。これにより、電気部品搭載ユニット１４は、ユニット収容部１３ｄから離脱されることなく図の左右方向にガイドされる。
【００２１】
電気部品搭載ユニット１４の外側（図の右側）端は、壁面固定金具１３の側壁１３ａに形成された長方形の開口部１３ｉ（図１参照）を貫通して配置されており、開口部１３ｉが電気部品搭載ユニット１４を壁面固定金具１３から引き出すときのガイドになっている。電気部品搭載ユニット１４の外側端は、開口部１３ｉの高さよりも高いパネル１４ｆを有し、そのパネル１４ｆの上部プレート１４ｂよりも高い位置につまみねじ１４ｇが設けられている。このつまみねじ１４ｇは、電気部品搭載ユニット１４を壁面固定金具１３に収納して固定するときに、壁面固定金具１３の側壁１３ａにねじ込まれるユニット固定用のねじである。なお、開口部１３ｉは、壁面固定金具１３の側壁１３ａの上方位置であって、モニタ１１を壁面１０に取り付けたときに、モニタ固定金具１２のプレート１２ａとは干渉しない位置に設けられている。
【００２２】
電気部品搭載ユニット１４には、図３に示したように、コントローラ１４ｈおよび電源アダプタ１４ｉが収容されている。コントローラ１４ｈには、映像ケーブル１４ｊおよび音声ケーブル１４ｋの一端が接続され、映像ケーブル１４ｊおよび音声ケーブル１４ｋの他端は、モニタ１１の映像入力端子および音声入力端子にそれぞれ接続されている。コントローラ１４ｈは、また、ＬＡＮ（Local Area Network）ケーブル１４ｍの一端に接続され、ＬＡＮケーブル１４ｍの他端は、モニタ１１に表示する情報を出力する表示サーバに有線ＬＡＮを介して接続されている。コントローラ１４ｈは、さらに、電源アダプタ１４ｉの本体から延びる直流出力ケーブル１４ｎに接続され、電源アダプタ１４ｉの入力端子には、交流入力コード１４ｐが接続され、交流入力コード１４ｐの先端のプラグは、コンセントに接続されている。
【００２３】
なお、電気部品搭載ユニット１４から引き出された映像ケーブル１４ｊ、音声ケーブル１４ｋ、ＬＡＮケーブル１４ｍおよび交流入力コード１４ｐは、壁面固定金具１３から直ぐに引き出さずに、図２に示したように、余長処理がなされている。
【００２４】
この電気部品搭載ユニット１４では、表示サーバからＬＡＮケーブル１４ｍを介してコントローラ１４ｈに送られた情報は、映像信号に変換され、映像ケーブル１４ｊおよび音声ケーブル１４ｋによりモニタ１１に送信される。モニタ１１は、映像ケーブル１４ｊによって送られた映像を表示し、音声ケーブル１４ｋによって送られた音声を出力する。
【００２５】
以上のように、情報表示盤の運用時においては、電気部品搭載ユニット１４は、壁面固定金具１３のユニット収容部１３ｄに収容され、つまみねじ１４ｇによって壁面固定金具１３の側壁１３ａに固定されている。次に、情報表示盤が保守されるときの動作について説明する。
【００２６】
図４は情報表示盤の保守時における電気部品搭載ユニットの動作例を示す図であって、（Ａ）は、壁面固定金具を上から見た図、（Ｂ）は壁面固定金具を正面から見た図である。
【００２７】
電気部品搭載ユニット１４を保守するときには、電気部品搭載ユニット１４を壁面固定金具１３から引き出し、コントローラ１４ｈおよび電源アダプタ１４ｉを露出させる必要がある。そのためには、つまみねじ１４ｇを緩めて壁面固定金具１３の側壁１３ａから取り外し、電気部品搭載ユニット１４を壁面固定金具１３のユニット収容部１３ｄから引き出すことになる。このとき、電気部品搭載ユニット１４は、その内側の上下端部に設けたスライドピン１４ｄ，１４ｅがガイドプレート１３ｆ，１３ｇのスリット１３ｈに沿って移動するため、水平方向にスムーズにスライドすることができる。
【００２８】
電気部品搭載ユニット１４が壁面固定金具１３から十分に引き出されたとき、映像ケーブル１４ｊ、音声ケーブル１４ｋ、ＬＡＮケーブル１４ｍおよび交流入力コード１４ｐは、その余長分だけが変形される。これにより、電気部品搭載ユニット１４を壁面固定金具１３から引き出すときに、壁面固定金具１３から引き出される映像ケーブル１４ｊ、音声ケーブル１４ｋ、ＬＡＮケーブル１４ｍおよび交流入力コード１４ｐの部分にストレスがかかることはない。
【００２９】
以上は、モニタ１１を垂直状態の姿勢で壁面１０に取り付ける場合について説明したが、本発明の情報表示盤は、モニタ１１を壁面１０に対して前傾させた状態で取り付けることができるチルト機構を有している。
【００３０】
図５はモニタを前傾姿勢で取り付けた状態の情報表示盤を示す側面図である。
この情報表示盤のチルト機構は、壁面固定金具１３の側壁１３ａに設けられてモニタ固定金具１２を受け止めるねじ１３ｂと、モニタ固定金具１２のプレート１２ａに設けられたねじ挿通孔１２ｃと、ねじ１２ｄとによって構成される。モニタ固定金具１２のプレート１２ａは、その切欠き部１２ｂがねじ１３ｂに載せられることでねじ１３ｂを中心に回動自在に保持され、かつ、ねじ挿通孔１２ｃの１つがねじ１２ｄによって固定される。プレート１２ａにあけられたねじ挿通孔１２ｃは、その中心点とねじ１３ｂの中心点とを結ぶ線が、この実施の形態では、５度ずつ傾くように形成されている。このため、図５に示した状態では、モニタ１１は、垂直状態から１５度前傾した状態に設定されていることになる。もちろん、ねじ挿通孔１２ｃの位置を変更することにより、モニタ１１の前傾角度を調整することができる。
【００３１】
なお、このモニタ１１を壁面１０に対して前傾状態で取り付けたときにおいても、電気部品搭載ユニット１４の引き出し方向にモニタ固定金具１２のプレート１２ａが被さることはない。したがって、保守時に、モニタ１１を外したりその傾きを変更したりすることなく、電気部品搭載ユニット１４を壁面固定金具１３から横方向に引き出して保守を実施することができる。
【符号の説明】
【００３２】
１０  壁面
１１  モニタ
１２  モニタ固定金具
１２ａ  プレート
１２ｂ  切欠き部
１２ｃ  ねじ挿通孔
１２ｄ  ねじ
１３  壁面固定金具
１３ａ  側壁
１３ｂ  ねじ
１３ｃ  ねじ孔
１３ｄ  ユニット収容部
１３ｅ  基部
１３ｆ，１３ｇ  ガイドプレート
１３ｈ  スリット
１３ｉ  開口部
１４  電気部品搭載ユニット
１４ａ  基部
１４ｂ  上部プレート
１４ｃ  下部プレート
１４ｄ，１４ｅ  スライドピン
１４ｆ  パネル
１４ｇ  つまみねじ
１４ｈ  コントローラ
１４ｉ  電源アダプタ
１４ｊ  映像ケーブル
１４ｋ  音声ケーブル
１４ｍ  ＬＡＮケーブル
１４ｎ  直流出力ケーブル
１４ｐ  交流入力コード
【図１】
2018022048.tif 000003
【図２】
2018022048.tif 000004
【図３】
2018022048.tif 000005
【図４】
2018022048.tif 000006
【図５】
2018022048.tif 000007